(57)【要約】  【課題】  ケーシングの小型化を図り吸込空気の抵抗を減少できる遠心送風機と、この遠心送風機を用いることで静圧を維持しつつ筐体の小型軽量化を図った空気調和機とを提供する。  【解決手段】  少なくとも一側面に略円形状の空気吸込部を備え、略矩形状の空気吹出部を前端部に設けた渦巻形のケーシングと、前記空気吸込部と前記空気吹出部とを結ぶ空気通路に設けた送風ファンと、同送風ファンに連結して前記空気吸込部の側方に設けたファンモータとを備えた遠心送風機において、前記ケーシング４の側面における前記送風ファンの軸方向の長さが、前記空気吹出部３から前記空気吸込部２の側に向けて漸次縮小するように傾斜してなる遠心送風機１を構成し、この遠心送風機１を熱交換器８を有する空気調和機１３に用いた。【選択図】  図２
2010229889.tif 000002
【特許請求の範囲】
【請求項１】
少なくとも一側面に略円形状の空気吸込部を備え、略矩形状の空気吹出部を前端部に設けた渦巻形のケーシングと、前記空気吸込部と前記空気吹出部とを結ぶ空気通路に設けた送風ファンと、同送風ファンに連結して前記空気吸込部の側方に設けたファンモータとを備えた遠心送風機において、
前記ケーシングの側面における前記送風ファンの軸方向の長さが、前記空気吹出部から前記空気吸込部の側に向けて漸次縮小するように傾斜してなることを特徴とする遠心送風機。
【請求項２】
少なくとも一側面に略円形状の空気吸込部を備え、略矩形状の空気吹出部を前端部に設けた渦巻形のケーシングと、前記空気吸込部と前記空気吹出部とを結ぶ空気通路に設けた送風ファンと、同送風ファンに連結して前記空気吸込部の側方に設けたファンモータとを備えた遠心送風機と、
前記遠心送風機が設置され前記空気吸込部に連通する吸込口を有する送風機室と、熱交換器が設置され前記空気吹出部に連通する吹出口を有する熱交換器室とを備えた筐体とを備え、
前記ケーシングの側面における前記送風ファンの軸方向の長さが、前記空気吹出部から前記空気吸込部の側に向けて漸次縮小するように傾斜し、前記吸込口が、前記空気吹出部の対向位置となる前記ケーシングの後端部と、前記ファンモータとの間に臨ませるように設けられてなることを特徴とする空気調和機。
【発明の詳細な説明】
【技術分野】
【０００１】
本発明は、遠心送風機およびそれを用いた空気調和機の構造に関する。
【背景技術】
【０００２】
従来の遠心送風機には、送風ファンを小型化することなくケーシングの小型化を図れるようにしたものとして、図４に示すように、側面に略円形状の空気吸込部ａを設け、略矩形状の空気吹出部ｂを前端部に設けた渦巻形のケーシングｃと、これら空気吸込部ａと空気吹出部ｂとを結ぶ空気通路に設けた遠心式の送風ファンｄとを備え、ケーシングｃの巻き始めノーズ部ｅの側端から空気吹出部ｂの側端にかけて、空気吸込部ａの外周面を順次拡大するように形成したものが知られている（例えば、特開２００６−１５２９３６号公報および特開平９−２８７７５６号公報）。
【０００３】
これにより、ケーシングの小型化を図ることができるとともに、送風量が減少してしまったり、騒音を発生させてしまうといった性能の低下が生じないようにしていた。
【０００４】
しかしながら、空気吸込部ａの外周面の傾斜角度を大きく形成できにくいため、小型化を図ったケーシングｃの後端部において、空気吸込部ａの外周面と、空気吸込部ａの側方に配置した図示しないファンモータとの間の隙間は、空気吸込部ａの外周面の傾斜角度を利用して大きく確保することが困難になって、該箇所から空気吸込部ａに吸い込まれる空気の抵抗を減少できにくくなる。
【０００５】
空気吸込部ａに吸い込まれる空気の抵抗を減少させるには、送風ファンｄとケーシングｃとの隙間を大きくする必要があるため、この隙間が大きい上記公報に記載の遠心送風機を空気調和機に用いた場合、静圧を維持しつつ空気調和機の筐体の小型軽量化を図ることが困難になるという問題点を有していた。
【先行技術文献】
【特許文献】
【０００６】
【特許文献１】特開２００６−１５２９３６号公報
【特許文献２】特開平９−２８７７５６号公報
【発明の概要】
【発明が解決しようとする課題】
【０００７】
そこで、本発明は上述した課題を解決するためになされたものであって、その目的は、ケーシングの小型化を図り吸込空気の抵抗を減少できる遠心送風機と、この遠心送風機を用いることで静圧を維持しつつ筐体の小型軽量化を図った空気調和機とを提供することにある。
【課題を解決するための手段】
【０００８】
上述した目的を達成できるように構成するため、本発明は以下に示す特徴を備えている。
【０００９】
少なくとも一側面に略円形状の空気吸込部を備え、略矩形状の空気吹出部を前端部に設けた渦巻形のケーシングと、前記空気吸込部と前記空気吹出部とを結ぶ空気通路に設けた送風ファンと、同送風ファンに連結して前記空気吸込部の側方に設けたファンモータとを備えた遠心送風機において、
前記ケーシングの側面における前記送風ファンの軸方向の長さが、前記空気吹出部から前記空気吸込部の側に向けて漸次縮小するように傾斜してなることを特徴としている。
【００１０】
また、少なくとも一側面に略円形状の空気吸込部を備え、略矩形状の空気吹出部を前端部に設けた渦巻形のケーシングと、前記空気吸込部と前記空気吹出部とを結ぶ空気通路に設けた送風ファンと、同送風ファンに連結して前記空気吸込部の側方に設けたファンモータとを備えた遠心送風機と、
前記遠心送風機が設置され前記空気吸込部に連通する吸込口を有する送風機室と、熱交換器が設置され前記空気吹出部に連通する吹出口を有する熱交換器室とを備えた筐体とを備え、
前記ケーシングの側面における前記送風ファンの軸方向の長さが、前記空気吹出部から前記空気吸込部の側に向けて漸次縮小するように傾斜し、前記吸込口が、前記空気吹出部の対向位置となる前記ケーシングの後端部と、前記ファンモータとの間に臨ませるように設けられてなることを特徴としている。
【発明の効果】
【００１１】
本発明によれば、ケーシングの小型化を図り吸込空気の抵抗を減少できる遠心送風機と、この遠心送風機を用いることで静圧を維持しつつ筐体の小型軽量化を図った空気調和機とを提供できる。
【図面の簡単な説明】
【００１２】
【図１】本発明による遠心送風機およびそれを用いた空気調和機の平面図である。
【図２】本発明による遠心送風機およびそれを用いた空気調和機の説明図で、（Ａ）は図１に示すＡ−Ａ断面図であり、（Ｂ）は図２（Ａ）に示すＢ−Ｂ断面図である。
【図３】本発明による遠心送風機およびそれを用いた空気調和機の静圧特性を示す図で、（Ａ）は静圧（Ｐａ）と入力（Ｗ）との関係を示す図であり、（Ｂ）は静圧（Ｐａ）と風量（ｍ３／ｈ）との関係を示す図である。
【図４】従来例による遠心送風機の斜視図である。
【発明を実施するための形態】
【００１３】
以下、本発明を実施するための形態を、添付図面に基づいた実施例として詳細に説明する。
【００１４】
本発明による遠心送風機１の構成について、図１と、図２（Ａ）および図２（Ｂ）とに基づいて以下に説明するとともに、この遠心送風機１が用いられている空気調和機１３の構成について、図１に基づいて以下に説明する。
【００１５】
本発明による遠心送風機１は、両側面に略円形状の空気吸込部２を備え、略矩形状の空気吹出部３を前端部４ａに設けた渦巻形のケーシング４と、空気吸込部２と空気吹出部３とを結ぶ空気通路に設けた遠心式の送風ファン（シロッコファン）５とを備えている。
【００１６】
遠心式の送風ファン５は、ケーシング４の両側面に備えた空気吸込部２から空気を吸い込めるように、主板５ａの両側に複数の翼を環状に配設した多翼ファンと、主板５ａに接続されている多翼ファンの回転軸とからなる構成になっており、この多翼ファンの回転軸と、多翼ファンの回転軸を回転させるファンモータ６の駆動軸７とが同軸状に連結され、このファンモータ６は、その側部をケーシング４の空気吸込部２に近接させている。
【００１７】
これにより、ケーシング４の空気吸込部２の外周面２ａを傾斜させることによって、ファンモータ６の側部を、ケーシング４の空気吸込部２に近づけることができるようになって、遠心送風機１として小型化を図ることができるようになる。
【００１８】
その際、筐体１１の前部に備えた吸込口１１ａに臨ませているケーシング４の空気吸込部２と、ファンモータ６との間（の隙間）が狭くならないように構成できるので、該箇所から吸い込まれて空気吸込部２に向かう空気流に対する抵抗が増加しなくなり、また同様に、ファンモータ６を近接させた空気吸込部２に対向する側の空気吸込部２に向かう空気流に対する抵抗も増加しなくなって、静圧を維持しつつ筐体１１の小型軽量化を図れるようにした空気調和機となる。
【００１９】
本発明による遠心送風機１は、渦巻形のケーシング４と、ケーシング４内に設置された遠心式の送風ファン５と、送風ファン５に連結された駆動軸７を有するファンモータ６とからなる構成になっており、この遠心送風機１を用いた空気調和機１３は、空気調和機１３を構成する筐体１１の内部が、仕切板１０により、遠心送風機１が設置されている送風機室と、熱交換器８が設置されている熱交換器室とに区画されており、熱交換器室の側部には電装部１２が設けられている。
【００２０】
これにより、ファンモータ６を起動し送風ファン５を駆動することにより、図１と、図２（Ａ）とに示す矢印ａのように、筐体１１に備えた送風機室内に吸込口１１ａから空気が吸い込まれたのち、空気吸込部２からケーシング４内に吸い込まれ、ケーシング４内に設置されている送風ファン５を経て、ケーシング４の前端部４ａに設けられている空気吹出部３から吹き出されるようになっている。
【００２１】
なお、筐体１１に備えている送風機室に設けられた吸込口１１ａは、ケーシング４に設けられた空気吸込部２に連通するように設けられた構成になっている。
【００２２】
ケーシング４に設けられた空気吹出部３は、筐体１１内を区画する仕切板１０を挿通して、筐体１１に備えている熱交換器室内に突出するように構成されている。
【００２３】
筐体１１に備えた熱交換器室は、ケーシング４に設けられた空気吹出部３の前方である空気流通路からなり、この空気流通路には熱交換器８が配置されており、熱交換器８の下部には、この熱交換器８から滴下するドレン水を受けるためのドレンパン９が設置された構成になっている。
【００２４】
これにより、ケーシング４の前端部４ａに設けられた空気吹出部３から、筐体１１に備えた空気流通路からなる熱交換器室に吹き出された空気は、熱交換器８によって熱交換されたのち、図１と、図２（Ａ）とに示す矢印ｂのように、筐体１１に備えた熱交換器室に設けられている吹出口１１ｂから室内に吹き出されて空気調和が行われることになる。
【００２５】
なお、筐体１１に備えた熱交換器室に設けられている吹出口１１ｂは、図１と、図２（Ａ）とに矢印ｂで示す調和空気の吹出位置に設けられている。
【実施例１】
【００２６】
次に、上述した構成でなる遠心送風機１の小型化を図るとともに、この遠心送風機１を用いることにより、空気調和機１３として静圧を維持しつつ筐体１１の小型軽量化に寄与できるようにした構成について、実施例１として示す図１と、図２（Ａ）および図２（Ｂ）とに基づいて以下に説明する。
【００２７】
遠心送風機１は、送風ファン５の回転軸方向となるケーシング４の幅寸法が、ケーシング４の前端部４ａとなる空気吹出部３の側から後端部４ｂに向けて、空気吸込部２の外周面２ａが傾斜して徐々に縮小するように形成された構成になっている。
【００２８】
ケーシング４の幅寸法は、ケーシング４の前端部４ａとなる空気吹出部３の幅寸法Ｌ１から、ケーシング４の後端部４ｂの幅寸法Ｌ２に向けて、空気吸込部２の外周面２ａが徐々に縮小するように平面状に傾斜することにより、２°〜５°程度の図２（Ｂ）に示す傾斜角θを有してＬ１＞Ｌ２の関係となるように形成されている。
【００２９】
その際、図２（Ｂ）に示す送風ファン５の幅寸法Ｄは小型化することなく、送風ファン５と空気吸込部２との間に隙間Ｇを有したままの構成になっている。
【００３０】
これにより、送風ファン５の幅寸法Ｄは小型化することなく、ケーシング４の幅寸法を、ケーシング４の前端部４ａとなる空気吹出部３の側から後端部４ｂに向かうにしたがって小型化できるようになる。
【００３１】
その際、ケーシング４の幅寸法を小型化したことにより、送風ファン５の回転軸に同軸状に連結される駆動軸７を備えたファンモータ６は、図２（Ｂ）に示す傾斜角θを有して傾斜させた空気吸込部２の外周面２ａに近づけることができるようになって、遠心送風機１として小型化を図れるようになる。
【００３２】
また、遠心送風機１は、空気調和機１３に用いられた際、ケーシング４の空気吸込部２の外周面２ａと、ファンモータ６との間の隙間が、筐体１１の前部に備えた吸込口１１ａに向かうにしたがって拡大するように構成されているので、吸込口１１ａから吸い込まれて空気吸込部２に向かう空気流に対する抵抗を減少させることで空気流量は増加することになって、空気調和機１３として静圧を維持しつつ筐体１１の小型軽量化を図れるようになる。
【００３３】
同様に、ケーシング４の両側面に備えた略円形状の空気吸込部２の外周面２ａを傾斜させることで、ファンモータ６を近接させた空気吸込部２に対向する側の空気吸込部２に向かう空気流に対する抵抗も増加しなくなって、静圧を維持しつつ筐体１１の小型軽量化を図れるようにした空気調和機となる。
【００３４】
次に、ケーシング４の側面に設けられた空気吸込部２の外周面２ａを傾斜させることなく、図２（Ｂ）の破線で示すように、Ｌ２＝Ｌ２’となるようにケーシング４の小型化を図る場合の構成を従来の遠心送風機とし、空気吸込部２の外周面２ａを傾斜させたケーシング４の構成を本発明による遠心送風機１とした時の「静圧（Ｐａ）−入力（Ｗ）」の関係について、図２（Ｂ）と、図３（Ａ）とに基づいて以下に説明する。
【００３５】
従来の遠心送風機および本発明による遠心送風機１における静圧（Ｐａ）−入力（Ｗ）の関係において、図３（Ａ）に示す破線および実線のように、入力（Ｗ）に対する静圧（Ｐａ）は、破線で示す従来の遠心送風機よりも、実線で示す本発明による遠心送風機１が上回っている。
【００３６】
これにより、図２（Ｂ）の破線で示すように、Ｌ２＝Ｌ２’となるようにケーシング４の小型化を図る場合の構成に較べて、Ｌ１＞Ｌ２となるようにケーシング４を傾斜させて小型化を図る構成は、入力（Ｗ）に対する静圧（Ｐａ）を大きくすることができるようになることから、本発明の構成により、ケーシング４の小型化を図る以前の構成に対し、ケーシング４の小型化を図って、空気吸込部２に吸い込まれる吸込空気の抵抗を減少できるようにした遠心送風機１となる。
【００３７】
同様に、ケーシング４の側面に設けられた空気吸込部２の外周面２ａを傾斜させることなく、図２（Ｂ）の破線で示すように、Ｌ２＝Ｌ２’となるようにケーシング４の小型化を図る場合の構成を従来の遠心送風機とし、空気吸込部２の外周面２ａを傾斜させたケーシング４の構成を本発明による遠心送風機１とした時の「静圧（Ｐａ）−風量（ｍ３／ｈ）」の関係について、図２（Ｂ）と、図３（Ｂ）とに基づいて以下に説明する。
【００３８】
従来の遠心送風機および本発明による遠心送風機１における静圧（Ｐａ）−風量（ｍ３／ｈ）の関係において、図３（Ｂ）に示す破線および実線のように、静圧（Ｐａ）に対する風量（ｍ３／ｈ）は、破線で示す従来の遠心送風機よりも、実線で示す本発明による遠心送風機１が上回っている。
【００３９】
これにより、図２（Ｂ）の破線で示すように、Ｌ２＝Ｌ２’となるようにケーシング４の小型化を図る構成に較べて、Ｌ１’＞Ｌ２となるようにケーシング４を傾斜させて小型化を図る構成は、静圧（Ｐａ）に対する風量（ｍ３／ｈ）を大きくすることができるようになることから、本発明の構成により、ケーシング４の小型化を図る以前の構成に対し、ケーシング４の小型化を図って、空気吸込部２に吸い込まれる吸込空気の抵抗を減少できるようにした遠心送風機１となる。
【００４０】
なお、本発明による遠心送風機１は、図１に示すように、ケーシング４の両側面に設けられた空気吸込部２の外周面２ａを傾斜させることによって、空気吸込部２に吸い込まれる吸込空気の抵抗を減少できるようにしたものとして説明しているが、ケーシング４の一側面にのみ設けられた空気吸込部２の外周面２ａを傾斜させるように構成してもよい。
【００４１】
以上説明したように、本発明の構成によれば、ケーシング４の小型化を図って空気吸込部２に吸い込まれる吸込空気の抵抗を減少できる遠心送風機１を提供できるようになり、また、この遠心送風機１を用いることで静圧を維持しつつ筐体１１の小型軽量化を図った空気調和機１３を提供できる。
【符号の説明】
【００４２】
１  遠心送風機
２  空気吸込部
２ａ  外周面
３  空気吹出部
４  ケーシング
４ａ  前端部
４ｂ  後端部
５  送風ファン（シロッコファン）
５ａ  主板
６  ファンモータ
７  駆動軸
８  熱交換器
９  ドレンパン
１０  仕切板
１１  筐体
１１ａ  吸込口
１１ｂ  吹出口
１２  電装部
１３  空気調和機
【図１】
2010229889.tif 000003
【図２】
2010229889.tif 000004
【図３】
2010229889.tif 000005
【図４】
2010229889.tif 000006